(57)【特許請求の範囲】
【請求項１】
音響透過性がある第１の固定電極シートと、音響透過性及び緩衝作用がある第１の絶縁性シートと、振動電極シートと、音響透過性及び緩衝作用がある第２の絶縁性シートと、音響透過性がある第２の固定電極シートが順に積層され、前記第1の固定電極シートの上に音響透過性がある第３の絶縁性シートが積層され、前記第２の固定電極シートの下に音響透過性がある第４の絶縁性シートが積層された積層シートを有する静電型面スピーカ装置であって、
前記積層シートは、複数のユニットと、該複数のユニットのうち隣接するユニット同士を連結する連接部に区分され、
前記連接部における積層シートは、前記第１の固定電極シートの層、前記振動電極シートの層、及び、前記第２の固定電極シートの層が存在せず、かつ、少なくとも、前記第３の絶縁性シートの層、及び、前記第４の絶縁性シートの層が、前記隣接するユニットにおける同じ層から連続して存在するものであり、
前記各ユニットにおける積層シートは、
少なくとも一部の互いに隣接する層の間に、間隔をあけて、当該少なくとも一部の互いに隣接する層同士を接着する接着層が配設されたものである、
ことを特徴とする静電型面スピーカ装置。
【請求項２】
前記連接部における積層シートに存在する複数の層は、
積層の順に、前記隣接するユニットの一方のユニットから他方のユニットまでの長さが順次長くなるものとすることにより、前記連接部における積層シートを折り曲げやすくした、
ことを特徴とする請求項１に記載の静電型面スピーカ装置。
【請求項３】
少なくとも１つの前記ユニットにおける積層シートは、前記第１の固定電極シートの層、前記振動電極シートの層、前記第２の固定電極シートの層、のそれぞれと当該層に隣接する一方の層とを接着する、第１ないし第３の導電性接着層が局部的に配置されたものであり、
前記第１の固定電極シート、前記振動電極シート、前記第２の固定電極シート、のそれぞれに、駆動信号を供給する第１ないし第３の入力導体を有し、
前記第１ないし第３の入力導体の一端部は、それぞれ、前記第１ないし第３の導電性接着層を介して、前記第１の固定電極シート、前記振動電極シート、前記第２の固定電極シートに電気的に接続される、
ことを特徴とする請求項１又は２に記載の静電型面スピーカ装置。
【請求項４】
前記隣接する第１のユニット及び第２のユニットにおける各積層シートは、
前記第１の固定電極シートの層、前記振動電極シートの層、前記第２の固定電極シートの層、のそれぞれと当該層に隣接する一方の層とを接着する、第１ないし第３の導電性接着層が局部的に配置されたものであり、
前記第１の固定電極シート、前記振動電極シート、前記第２の固定電極シート、のそれぞれを、前記隣接する第１のユニット及び第２のユニット同士を連結する連接部において接続する、第１ないし第３の接続導体を有し、
前記第１ないし第３の接続導体の一端部は、前記隣接する第１のユニットにおいて、前記第１ないし第３の導電性接着層を介して前記第１の固定電極シート、前記振動電極シート、前記第２の固定電極シートに電気的に接続され、かつ、
前記第１ないし第３の接続導体の他端部は、前記隣接する第２のユニットにおいて、前記第１ないし第３の導電性接着層を介して前記第１の固定電極シート、前記振動電極シート、前記第２の固定電極シートに電気的に接続される、
ことを特徴とする請求項１又は２に記載の静電型面スピーカ装置。
【発明の詳細な説明】
【技術分野】
【０００１】
本発明は、静電型面スピーカの構造に関するものである。特に、電子鍵盤楽器において楽音を出力するためのものである。
【背景技術】
【０００２】
電気音響変換器として、厚みの薄い面スピーカが知られている。例えば、電極間に電圧を印加しクローン力を利用して駆動する静電型スピーカ（コンデンサスピーカともいう）や、圧電特性を有するフィルムを用いたものなどが知られている。
面スピーカは、平板の面積を広くとるほど、音の指向性が平板に垂直な方向に強くなり、その結果、音が遠くまで到達する。
【０００３】
このうち、静電型スピーカとして、最近注目されているものは、薄型フレキシブル（flexible）静電型スピーカである。これは、薄型・軽量であるとともに、柔軟性があるため、曲げることが可能で、曲げた後に応力が残らず、元の形状に戻りにくいという性質がある（特許文献１，２等参照）。
このような特徴を活用して、複数個の静電型スピーカを折り曲げ可能に連結することにより、カーテンスピーカを実現し、カーテン状に連結されたスピーカの開け閉め量を調整することにより、発音面積を変更し、音場を自由に制御できるようにしたものが知られている（特許文献２）。
【０００４】
電子鍵盤楽器において、従来はダイナミック型（動電型）のコーンスピーカが使用されているが、静電型スピーカのような面スピーカを、その特色を活用して採用するには、簡単な構成で、静電型スピーカの折り曲げ、折り畳みの繰り返しに対して耐久性をもたせる必要がある。
上述した特許文献２においては、複数枚の静電スピーカを第１及び第２の連結部材により横方向に連結することにより、互い違いに折れ曲がる（ジグザグ）カーテン状に一体化される。第１連結部材と前部多孔質絶縁層との重ね合わせ部が縫合されることにより、前部多孔質絶縁層同士を連結する。第２連結部材と後部多孔質絶縁層との重ね合わせ部が縫合されることにより、後部多孔質絶縁層同士を連結する。第１及び第２の連結部材は、前部及び後部多孔質絶縁層と同様な材質により形成されており、いずれも、一定方向に屈曲するように襞が形成されている。
しかし、折り曲げ部分においては、静電型スピーカとは別体の連結部材を設ける必要がある。かつ、連結部材を静電型スピーカの絶縁層と縫合する工程がある。そのため、構成が複雑で製造が容易でないという問題があった。
【先行技術文献】
【特許文献】
【０００５】
【特許文献１】特開２０１０−６８０５３号公報
【特許文献２】特開２００８−２８６５２号公報
【発明の概要】
【発明が解決しようとする課題】
【０００６】
本発明は、上述した問題点に解決するためになされたもので、特定の部分における、折り曲げ、折り畳みの繰り返しに対して耐久性がある構成を、簡単に実現できるようにした静電型面スピーカ装置を提供することを目的とするものである。
【課題を解決するための手段】
【０００７】
本発明は、請求項１に記載の発明においては、静電型面スピーカ装置（図１の１３、図９の１１１）において、音響透過性がある第１の固定電極シート（図６，図７の３２）と、音響透過性及び緩衝作用がある第１の絶縁性シート（図６の３３、図７の８２）と、振動電極シート（図６，図７の３４）と、音響透過性及び緩衝作用がある第２の絶縁性シート（図６の３５、図７の８３）と、音響透過性がある第２の固定電極シート（図６，図７の３６）が順に積層され、前記第1の固定電極シート（３２）の上に音響透過性がある第３の絶縁性シート（３１，８１）が積層され、前記第２の固定電極シート（３６）の下に音響透過性がある第４の絶縁性シート（図６の３７、図７の８４）が積層された積層シートを有する静電型面スピーカ装置であって、前記積層シートは、複数のユニット（図５の５１1〜５１5、５３1〜５３4、図６の６０Ａ，６０Ｂ、図７の８０Ａ，８０Ｂ、図９の１１２Ａ，１１２Ｂ）と、該複数のユニットのうち隣接するユニット同士を連結する連接部（図５の５２，５４ａ，５４ｂ、図６の６０Ｃ、図７の８０Ｃ、図９の１１２Ｃ）に区分され、前記連接部における積層シートは、前記第１の固定電極シート（３２）の層、前記振動電極シート（３４）の層、及び、前記第２の固定電極シート（３６）の層が存在せず、かつ、少なくとも、前記第３の絶縁性シート（３１，８１）の層、及び、前記第４の絶縁性シート（３７，８４）の層が、前記隣接するユニットにおける同じ層から連続して存在するものであり、前記各ユニットにおける積層シートは、少なくとも一部の互いに隣接する層（３３，３４、３４，３５）の間に、間隔をあけて、当該少なくとも一部の互いに隣接する層同士を接着する接着層（３８，３９）が配設されたものである。
連接部においては、第１，第２の固定電極シートの層及び振動電極シートの層が存在しないので、この連接部で、折り曲げたり折り畳んだりしても、電極シートが傷まないので、折り曲げ、折り畳みの繰り返しに対して耐久性がある。その結果、折り曲げて使用したり、コンパクトに折り畳んで収納したりすることができる。
連接部に存在する、少なくとも、前記第３の絶縁性シートの層と前記第４の絶縁性シートの層とは、隣接するユニットにおける同じ層から連続して存在する、言い換えれば、これらの層は、全てのユニット及び連接部に共通の連続した層である。そのため、連接部を設けるために、別の連結部材を設けたり、この連結部材と隣接するユニットを縫合等により結合したりする工程が不要である。
接着層により接着された互いに接する層は、層間に隙間ができたり、層間がずれたりしにくくなるから、積層体としての一体性が増し、静電型面スピーカとしての形状が崩れにくい。静電型面スピーカの全体を折り曲げたとき、積層シートの各層が破損しないようにしたり、ずれて皺ができないようにしたりする。接着層は、所定の方向に間隔をあけて配設されているため、音響透過性を妨げにくい。
特に、接着層により、振動電極シートが第１の絶縁性シートと第２の絶縁性シートに支持される場合は、振動電極シートと第１，第２の絶縁性シートとの相互作用を安定させる。
【０００８】
本発明は、請求項２に記載の発明においては、請求項１に記載の静電型面スピーカ装置（図７の８０）において、前記連接部（８０Ｃ）における積層シートに存在する複数の層（８１ａ，８２ａ，８３ａ，８４ａ）は、積層の順に、前記隣接するユニットの一方のユニット（８０Ａ）から他方のユニット（８０Ｂ）までの長さが順次長くなるものとすることにより、前記連接部における積層シートを折り曲げやすくしたものである。
従って、連接部において、シートに無理な引張りや圧縮が加わりにくくなるので、静電型面スピーカを積層の一方側に曲げることを容易にし、かつ、折り曲げ、折り畳みの繰り返しに対して一層耐久性が増す。
【００１０】
本発明は、請求項３に記載の発明においては、請求項１又は２に記載の静電型面スピーカ装置（図６の６０）において、少なくとも１つの前記ユニット（６０Ａ）における積層シートは、前記第１の固定電極シート（３２）の層、前記振動電極シート（３４）の層、前記第２の固定電極シート（３６）の層、のそれぞれと当該層に隣接する一方の層（３１，３３，３５）とを接着する、第１ないし第３の導電性接着層（６１，６３，６５）が局部的に配置されたものであり、前記第１の固定電極シート（３２）、前記振動電極シート（３４）、前記第２の固定電極シート（３６）、のそれぞれに、駆動信号を供給する第１ないし第３の入力導体（６２，６４，６６）を有し、前記第１ないし第３の入力導体の一端部（６２ａ，６４ａ，６６ａ）は、それぞれ、前記第１ないし第３の導電性接着層（６１，６３，６５）を介して、前記第１の固定電極シート（３２）、前記振動電極シート（３４）、前記第２の固定電極シート（３６）に電気的に接続される。
したがって、第１ないし第３の接続導体を導電性接着層に圧着するだけで、駆動信号を供給する第１ないし第３の入力導体を、それぞれ、第１の固定電極シート、前記振動電極シート、前記第２の固定電極シートに簡単に電気的接続することができる。
第１ないし第３の入力導体として、FPC（フレキシブルプリント基板）や銅テープを用いることができる。
また、導電性接着層は、請求項１に記載の接着層の機能も備えるから、積層体としての一体性を増すために配設される接着層の一部（例えば、静電型面スピーカの周縁部近傍）と置き換えることができる。
【００１１】
請求項４に記載の発明においては、請求項１又は２に記載の静電型面スピーカ装置において、前記隣接する第１のユニット（６０Ａ）及び第２のユニット（６０Ｂ）における各積層シートは、前記第１の固定電極シート（３２）の層、前記振動電極シート（３４）の層、前記第２の固定電極シート（３６）の層、のそれぞれと当該層に隣接する一方の層（３１，３３，３５）とを接着する、第１ないし第３の導電性接着層（６１，６７，６５）が局部的に配置されたものであり、前記第１の固定電極シート（３２）、前記振動電極シート（３４）、前記第２の固定電極シート（３６）、のそれぞれを、前記隣接する第１のユニット（６０Ａ）及び第２のユニット（６０Ｂ）同士を連結する連接部（６０Ｃ）において接続する、第１ないし第３の接続導体（６９，６８，７０）を有し、前記第１ないし第３の接続導体の一端部（６９ａ，６８ａ，７０ａ）は、前記隣接する第１のユニット（６０Ａ）において、前記第１ないし第３の導電性接着層（６１，６７，６５）を介して前記第１の固定電極シート（３２）、前記振動電極シート（３４）、前記第２の固定電極シート（３６）に電気的に接続され、かつ、前記第１ないし第３の接続導体の他端部（６９ｂ，６８ｂ，７０ｂ）は、前記隣接する第２のユニット（６０Ｂ）において、前記第１ないし第３の導電性接着層（６１，６７，６５）を介して前記第１の固定電極シート（３２）、前記振動電極シート（３４）、前記第２の固定電極シート（３６）に電気的に接続されるものである。
従って、連接部を間にして隣接する第１のユニットと第２のユニットとの間において、対応する電極同士を、第１ないし第３の接続導体を導電性接着層に圧着するだけで簡単に電気的接続することができる。第１ないし第３の接続導体として、FPCや銅テープを用いることができる。
【００１２】
上述した請求項１ないし４に記載の静電型面スピーカ装置（図１の１３）は、電子鍵盤楽器のスピーカとして使用すると好適である。
例えば、鍵盤部を備える楽器本体部を当該左右において支持する左脚体（２）及び右脚体（２）を有する電子鍵盤楽器において、前記左脚体（２）及び前記右脚体（２）の間に、前記請求項１から５までのいずれか１項に記載の静電型面スピーカ装置（図１の１４、図５の５０Ａ，５０Ｂ、図６の６０、図７の８０）が配設される。
上述した電子鍵盤楽器において、前記静電型面スピーカ装置（１３）を沿わせて折り曲げる案内部材（２４）と、前記静電型面スピーカ装置（１３）の下端部に結合する結合部材（２６）を有し、前記静電型面スピーカ装置（１３）は、当該上端部が前記左脚体（２）及び前記右脚体（２）の間に固定され、当該下端部が自由端となるものであり、前記静電型面スピーカ装置（１３）は、前記案内部材（２４）に沿って折れ曲がった後に当該静電型面スピーカ装置（１３）の下端部が前記結合部材（２６，２８）に結合することにより、面一を保持する形態（図２（ａ））から折れ曲がりを保持する形態（図２（ｂ）、図２（ｃ））に変化するものとし、前記案内部材（２４）に沿って折れ曲がる部分に、前記静電型面スピーカ装置の連接部（５２，５４ａ，５４ｂ、６０Ｃ、８０Ｃ）が位置するようにする。
【００１３】
上述した各請求項の引用記載等において、「発明を特定するための事項」に付した括弧内の符号は、後述する「発明を実施するための形態」における、「発明を特定するための事項」に対応するものに付した符号である。この符号は、「発明を特定するための事項」とその一例との対応を示すにすぎない。「発明を特定するための事項」は、この符号により対応付けられた一例に限定されない。
【発明の効果】
【００１４】
上述した本発明によれば、連接部を設けたので、この部分における折り曲げ、折り畳みの繰り返しに対して耐久性がある構成を簡単に実現できるという効果がある。
その結果、静電型面スピーカ装置を折り曲げて使用したり、コンパクトに折り畳んで収納したりすることができる。この静電型面スピーカ装置は、電子鍵盤楽器のスピーカとして使用すると好適である。
【図面の簡単な説明】
【００１５】
【図１】本願発明の実施形態を用いる一例である、アップライトピアノ型電子鍵盤楽器の外観図である。
【図２】図１に示した実施形態における面スピーカの取付構造を示す説明図である。
【図３】図１に示した面スピーカの一具体例である静電型の面スピーカの構造図である。
【図４】図１に示した静電型の面スピーカの第２の具体例を示す部分平面図である。
【図５】図１に示した静電型の面スピーカの第３の具体例を示す部分平面図である。
【図６】図１に示した静電型の面スピーカの第４の具体例を示す平面図である。
【図７】図１に示した静電型の面スピーカの第５の具体例を示す部分断面図である。
【図８】図１に示した電子鍵盤楽器の機能ブロック図である。
【図９】本願発明の実施形態を用いる他の一例である外付け面スピーカパネルを示す説明図である。
【発明を実施するための形態】
【００１６】
図１は、本願発明の実施形態を用いる一例である、アップライトピアノ型電子鍵盤楽器の外観図である。
図１（ａ）は斜視図、図１（ｂ）は図８（１）に示す面スピーカパネルの長手方向中央の垂直断面図、図１（ｃ）は面スピーカパネルの変形例の長手方向中央の垂直断面図である。
図中、演奏者から見て左側において、１は脇側面板（側面部）、２は側面板（側面部）、３は前脚、４は前脚３と側面板２とを接続するステーである。同様の構造が図示右側にもあり、同じ符号を付している。
左右の脇側面板１の間に、鍵盤部が配置されているが、鍵盤蓋５が閉じているので見えない。図示の鍵盤蓋５は２枚折れタイプである。演奏時に、鍵盤蓋５は後述する上前板７の下部から楽器本体部の奥に収納される。
【００１７】
鍵盤部の演奏者側の前面は口棒６であり、鍵盤部の底面は棚板２１（図２）である。鍵盤部の奥行き側の上部は上前板７であり、その中央に譜面受８が設けられている。上前板７、左右の側面板２、及び、背面板２２（図２）の上部に天板９が掛け渡され、その中央に譜面板１０（図示の状態は倒れた状態）が設けられている。足下にペダルユニット１１が設けられ、その中央にペダル１２が収容され突出している。
【００１８】
図示の左右の側面板（左脚体及び右脚体）２の間において、ペダルユニット１１から鍵盤部の底板（棚板）までを、演奏者側から背面側に抜ける吹き抜けとしている。面スピーカパネル１３は、この左右の側面板２の間に、その面スピーカ１４部分が、面一を保持する形態で配設される。
【００１９】
面スピーカは、近似的に２次元面と見なせるような厚みの薄いスピーカであって、平坦で薄い平板形状であるが、薄い平板を湾曲させた曲面、さらには、任意の曲面や、折り曲げ面を形成した面スピーカなど、任意の形態の面スピーカも可能である。
面スピーカが、平坦で薄い平板形状である場合、平面波が発生するので、聴取位置が電子鍵盤楽器から遠ざかっても減衰が少なく、よく聞こえる。一方、聴取位置が電子鍵盤楽器の至近位置になってもうるさく感じられない。
【００２０】
面スピーカの音圧は、低音域が大きく減衰し、周波数が高くなるに従い音圧が大きくなるが、中高音域は面積干渉により平坦な周波数特性を呈する。ここで、面スピーカの面積（振動板の面積）を広くするに従って、面積分だけ低音域の音圧が上がる。
電子鍵盤楽器は、鍵盤部の鍵配列方向の幅が長い。そのため、面スピーカの一辺が鍵配列方向に沿うように、左右の側面板（左脚体と右脚体）２の間に、面スピーカを配設すれば、面スピーカの面積を広くとることができる。また、アップライト型の電子鍵盤楽器は、演奏者の身長に見合う高さがある。そのため、面スピーカの一辺が筐体の高さ方向に沿うように、面スピーカの上端を上部位置に配設すれば、面スピーカの面積を広くとることができる。
一方、湾曲面が形成された湾曲面スピーカである場合、湾曲面の凸面側においては、音波の指向角が広角になり、湾曲面の凹面側においては、音波が集束する。
【００２１】
図１（ｂ）に示す面スピーカパネル１３は、矩形の枠体１５を矩形の面スピーカ１４の前面にあてがうことにより、矩形の面スピーカ１４が、矩形の枠体１５の背面を覆うものである。これに代えて、面スピーカパネル１３は、図１（ｃ）に示すように、矩形の面スピーカ１４の前面及び背面の周縁部が、１対の矩形の枠体１５に挟まれたものでもよい。
なお、図１（ｂ）、図１（ｃ）のいずれにおいても、面スピーカ１４の周縁部には、固定電極や振動電極を設けないようにすることが望ましい。また、枠体１５として、面スピーカ１４と柔軟性がさほど変わらない、軟質の合成樹脂製のものを用いる。
【００２２】
枠体１５の下端部に、図示の例では、下端部の中央及び左右に結合部材１６が固着されている。一方、ペダルユニット１１の前面には第１の被結合部材１７が設けられている。第１の被結合部材１７は、面スピーカパネル１３の下端部、具体的には結合部材１６に結合するための部材である。図示の第１の被結合部材１７は、例えば、フック、孔、溝などであって、突起片、貫通孔、リング等の結合部材１６を掛止めする部品である。結合部材１６を永久磁石とし、被結合部材１７を鉄製の部材としてもよい。
面スピーカパネル１３は、結合部材１６が第１の被結合部材１７に掛止めされることにより、その面スピーカ１４が面一の状態から形態が変わらない。
【００２３】
図１（ｂ）、図１（ｃ）において、１８は回動支持軸であり、枠体１５の上端面に配置され、左右の側面板（左脚体及び右脚体）２の軸受穴２３（図２（ａ））に回動可能に支持されている。
従って、面スピーカパネル１３は、その上端部が左右の側面板（左脚体及び右脚体）２の間の上部位置に固定され、その下端部が自由端となる。
なお、面スピーカパネル１３の上端部は、回動しない単なる固定軸によって、左右の側面板（左脚体及び右脚体）２の間の上部位置に固定されていたり、棚板２１の下面に固定されていたりしてもよい。
【００２４】
再び図１（ａ）に戻って説明を続ける。ダイナミック型コーンスピーカ１９，２０は、上前板７をバッフル板として、その左右領域に分かれて設けられている。以下、ダイナミック型コーンスピーカを、単に「コーンスピーカ」という。上前板７の表面には、音響透過性のあるパンチングメタル板、ネット、又は、スピーカグリルが設けられる（図示省略）。
コーンスピーカ１９、２０には、ステレオの駆動信号が供給される。右側のコーンスピーカ２０をなくして、鍵盤の低音域側に対応する左側のコーンスピーカ１９だけにしてもよい。コーンスピーカ１９，２０は、上前板７に設ける場合に限らず、図示しない棚板にスピーカの前面開口部を下向きにして配置してもよい。
【００２５】
上述した脇側面板１、側面板２、天板９、棚板（底面部）２１（図２）、口棒６、上前板７、背面板２２（図２）が楽器筐体となる。これに、鍵盤部と内部空間を有するものが、電子鍵盤楽器の楽器本体部である。この楽器本体部に、前脚３、ステー４、ペダルユニット１１、及び、面スピーカパネル１３を加えたものが電子鍵盤楽器となる。
楽器本体部は、ユーザの鍵操作により楽音信号を生成する楽音信号生成部を内蔵する。
【００２６】
図２は、図１に示した実施形態における面スピーカの取付構造を示す説明図である。
図２（ａ）〜図２（ｃ）は、図１において、右側の側面板２を除去したときに、右側面から、面スピーカパネル１３と左側の側面板２とを図示している。
図面を簡単化するため、面スピーカパネル１３における面スピーカ１４及び枠体１５の表示を省略する。
図中、図１と同様な部分には同じ符号を付している。
図２（ａ）は、面スピーカパネル１３が、面一を保持する形態を示す説明図である。
図２（ｂ）、図２（ｃ）は、面スピーカパネル１３が折れ曲がりを保持する第１，第２の形態を示す説明図である。
ユーザが面スピーカパネル１３を手動操作することにより、上述した３種類の保持形態間で形態が変化する。
演奏者による演奏や自動演奏で楽音を発生させるとき、面スピーカパネル１３（面スピーカ１４）は、図２（ａ）〜図２９（ｃ）に示すいずれの形態であってもよい。
【００２７】
２３は回動支持軸であり、面スピーカパネル１３（枠体１５）の上端面に配置され、左右の側面板（左脚体及び右脚体）２に設けられた軸受穴２３に挿入されることにより、左右の側面板２に対し、直接的に回動可能に支持される。
２４は、面スピーカパネル１３を沿わせて折り曲げる案内部材であって、図示の例では、断面が円形の棒であり、左右の側面板２の間に架設される。
２６は第２の被結合部材であり、２７はこの被結合部材２６の支持体であって、図示の例では、断面が矩形の棒であり、左右の側面板２の間に架設されている。
２８は、第３の被結合部材であり、図示の例では、背面板２２の裏面に設けられる。
【００２８】
図２（ａ）において、面スピーカパネル１３は、その面スピーカ１４を、左右の側面板（左脚体及び前記右脚体）２の間に面一を保持する形態で配設されている。
この形態で面スピーカ１４を駆動すると、面スピーカ１４の前面から、電子鍵盤楽器の前方に平面波が出力される。同時に、面スピーカ１４の背面からも、電子鍵盤楽器の後方に平面波が出力される。
【００２９】
ここで、ユーザが、結合部材１６と第１の被結合部材１７との結合を外し、面スピーカパネル１３の下端部を、案内部材２４の向こう側（奥側）に通す。
図２（ｂ）に示すように、ユーザが、案内部材２４に沿って折れ曲がった面スピーカパネル１３の結合部材１６を第２の被結合部材２６に結合することにより、面スピーカパネル１３は、折れ曲がりを保持する形態に変化する。
この形態で面スピーカ１４を駆動すると、案内部材２４に当接する位置を境に、面スピーカ１４のC1の部分の前面から発生する楽音が、演奏者の耳２９により効果的に受聴される。
【００３０】
また、図１（ａ）に示す状態から、ユーザが、結合部材１６と第１の被結合部材１７との結合を外し、面スピーカパネル１３の下端部を、案内部材２４の向こう側に通すことなく、案内部材２４に沿って折れ曲がった面スピーカパネル１３の結合部材１６を第３の被結合部材２８に結合することにより、面スピーカパネル１３は、図１（ｃ）に示す折れ曲がりを保持する形態に変化する。
この場合、面スピーカ１４のC1の部分の背面から発生する楽音が、電子鍵盤楽器の後方にいる聴衆に効果的に直達される。
【００３１】
図示の例では、折り曲げが１箇所であるが、複数の案内部材を用いて、複数箇所で折り曲げる場合は、背景技術で説明した特許文献２に記載の静電型スピーカと同様に、面スピーカパネル１３（面スピーカ１４）をジグザグに折り曲げたり、湾曲させたりすることができる。その際、電子鍵盤楽器の前方（演奏者のいる側）を凸面にすれば、面スピーカ１４の前面から出力される音の指向角が拡がる。一方、電子鍵盤楽器の前方（演奏者のいる側）を凹面にすれば、面スピーカ１４の前面から出力される音が集束する。図２（ｂ）において、面スピーカ１４のC1の部分が、自身の撓みのため、凹面となっている。この場合、面スピーカ１４のC1の部分から出力される楽音が、演奏者の耳２９の位置で、光に例えて言えば、凸状の円柱レンズのような集束効果が得られる。
【００３２】
図９（ｃ）の形態は、面スピーカ１４の不使用時に、面スピーカパネル１３をつり上げて収容する形態とすることもできる。
さらに、面スピーカパネル１３を折り曲げる角度を１８０度とすることにより、畳み込まれた状態を保持する形態にすることもできる。この畳み込まれた状態は、折れ曲がる形態の極限の形態である。
【００３３】
図３は、図１に示した面スピーカの一具体例である、柔軟性を有する静電型の面スピーカの構造図である。
図３（ａ）は面スピーカ３０の積層構造を開いて見せた模式図、図３（ｂ）は面スピーカ３０の部分平面図、図３（ｃ）は面スピーカ３０の部分断面図、図３（ｄ）は面スピーカ３０の他の例を示す部分断面図である。
【００３４】
まず、積層構造の主要部を説明する。
図３（ａ）〜図３（ｃ）において、音響透過性を有する第１の固定電極シート３２と音響透過性を有する第２の固定電極シート３６との間に、音響透過性を有する第1の絶縁性シート３３と音響透過性を有する第２の絶縁性シート３５とを介して、特に薄くて柔軟性を有する振動電極シート（振動膜）３４が積層配置されている。
第１の絶縁性シート３３、第２の絶縁性シート３５は、薄くて柔軟性がある緩衝材（クッション材）である。また、上述した第１の固定電極シート３２、第２の固定電極シート３６も、薄くて柔軟性がある。
振動電極シート３４の前面から出力された音は、第1の絶縁性シート３３、第１の固定電極シート３２を透過し、この静電型スピーカの前面から放出されるとともに、振動電極シート３４の背面から出力された音は、第２の絶縁性シート３５、第２の固定電極シート３６を透過し、この静電型スピーカの背面から放出される。
【００３５】
３１は音響透過性を有する第３の絶縁性シート、３７は音響透過性を有する第４の絶縁性シートであって、これらは、静電型スピーカの背面を保護したり防水したりするとともに、感電を防止するためのカバーでもある。これらも柔軟性がある。
従って、この面スピーカ３０は、全体としても、柔軟性のある薄型フレキシブル（flexible）静電型スピーカである。
上述した振動電極シート３４を除き、他の第１の固定電極シート３２、第２の固定電極シート３６、第1の絶縁性シート３３、第２の絶縁性シート３５、第３の絶縁性シート、第４の絶縁性シート３７は、通気性を有している。なお、第３の絶縁性シート３１、第４の絶縁性シート３７は、省略可能である。
【００３６】
３８ａ〜３８ｅ，３９ａ〜３９ｅは、振動電極シート３４を、第1の絶縁性シート３３、第２の絶縁性シート３５により、部分的に支持するための接着層であって、その幅は狭く、例えば、4〜10［mm］であり、柔軟性があり、その厚みは薄く、例えば、0.1〜0.5［mm］である。図示の例では、接着層として両面接着テープを使用している。
振動電極シート３４は、接着層３８ａ〜３８ｅ，３９ａ〜３９ｅにより間隔をあけて支持される。
この接着層３８ａ〜３８ｅ，３９ａ〜３９ｅにより、振動電極シート３４は、接着層３８ａ〜３８ｅ，３９ａ〜３９ｅのない領域で、振動電極シート３４に対し、第1の絶縁性シート３３との間、及び、第２の絶縁性シート３５との間が僅かに離間して支持される。
【００３７】
振動電極シート３４、第1の絶縁性シート３３、第２の絶縁性シート３５は柔軟性を有するため、接触していても問題ない。第1の絶縁性シート３３、第２の絶縁性シート３５は、振動電極シート３４を支持するとともに、振動電極シート３４に適度な弾性応力を付与する。
接着層３８ａ〜３８ｅ，３９ａ〜３９ｅは、静電型の面スピーカにとって必須のものではない。しかし、振動電極シート３４は、緩衝作用のある第1の絶縁性シート３３、第２の絶縁性シート３５との間で相互作用を及ぼし合いながら、これらと一体となって振動する。
従って、接着層３８，３９は、スペーサというよりも、振動電極シート３４と第1の絶縁性シート３３、第２の絶縁性シート３５との相互作用を安定させる機能がある。接着層３８，３９は、また、面スピーカ３０の全体を折り曲げたときに、多層状に形成された積層シートの各層が破損しないようにしたり、ずれて皺ができないようにしたりする役目を果たす。
【００３８】
図３（ｃ）において、振動電極シート３４は、接着層３８ａ〜３８ｅにより、第1の絶縁性シート３３に等間隔の第１の支持位置で支持されるとともに、接着層３９ａ〜３９ｅにより、第２の絶縁性シート３５に同じ第１の支持位置で支持される。第１の支持位置の間隔は、1［cm］〜10［cm］とし、試作品では3.6［cm］とした。
図３（ｄ）において、振動電極シート３４は、接着層３８ｆ，３８ｇにより、第１の絶縁性シート３３に等間隔の第１の支持位置で支持されるとともに、接着層３９ｆ，３９ｇにより、第２の絶縁性シート３５に等間隔の第２の支持位置で支持される。第１の支持位置と第２の第１の支持位置とは交互に配置されるので、振動電極シート３４は、交互に支持される。
【００３９】
なお、図３（ｂ），図３（ｃ）に示したように、面スピーカ３０の端部（図示右端部）は、接着層３８ｅ，３９ｅ，３８ｈ，３９ｈで支持することが好ましい。面スピーカ３０の周縁部において、各シートの層間を、接着層３８ｅ，３９ｅ，３８ｈ，３９ｈと同様な接着層（両面接着テープ）で相互に接着したり、接着剤を塗布したりして、層が離れないようにする。面スピーカ３０の周縁部は、接着剤でまとめたり、図示しない枠体に取り付けられたりする。
【００４０】
上述した振動電極シート３４は、例えば、ポリエチレンテレフタレート（PET）又はポリプロピレン（PP）等の、合成樹脂薄膜の両面又は片面に、アルミニウム等の導電性を有する金属を蒸着したり、導電性塗料を塗布したりしたものであり、その厚さは数［μm］〜数十［μm］である。
上述した第１の固定電極シート３２、第２の固定電極シート３６は、ポリエチレンテレフタレートの片面又は両面に、アルミニウム等の導電性を有する金属を蒸着したり、導電性塗料を塗布したりして、その厚みを貫通する多数の貫通孔３２ａ，３６ａが形成されたパンチングメタルである。この試作品では、厚さが0.5［mm］である。
第１の固定電極シート３２、第２の固定電極シート３６は、パンチングメタルに代えて、金網を用いてもよいし、不織布にアルミニウム蒸着をしたものを用いてもよい。後者の場合、第３の絶縁性シート３１と第１の固定電極シート３２とを一体化し、第４の絶縁性シート３７と第２の固定電極シート３６とを一体化することができる。
上述した第１の絶縁性シート３３、第２の絶縁性シート３５は、例えば、発泡合成樹脂や不織布である。
上述した第３の絶縁性シート３１、第４の絶縁性シート３７も、例えば、発泡合成樹脂や不織布であるが、材料選択の自由度が大きい。
【００４１】
図４は、図１に示した柔軟性を有する静電型の面スピーカの第２の具体例を示す部分平面図である。
先の図３においては、接着層３８ａ〜３８ｅ，３９ａ〜３９ｅを図示縦方向に並べて互いに平行配置していた。図５においては、加えて、接着層４１ａ，４１ｂ，４１ｃを、図示横方向に並べて互いに平行配置したものである。
図示の接着層４１ａ，４１ｂは、接着層３８ａ〜３８ｄ，３９ａ〜３９ｄと同じ間隔で配置されている。
上述した縦方向、横方向に配置する２種の接着層に代えて、１枚の格子状接着層を用いれば、接着層の厚みが均一になる。
この面スピーカ４０の積層断面構造は、接着層の配置を除けば図３（ｃ）、図３（ｄ）と同じであるので図示を省略する。
【００４２】
図３、図４に示した例では、接着層３８ａ〜３８ｈ，…、４１ａ，４１ｂ，４１ｃ，…により、振動電極シート３４と第1の絶縁性シート３３、振動電極シート３４と第２の絶縁性シート３５が接着されていた。
これらに加えて、第３の絶縁性シート３１と第１の固定電極シート３２との層間、第１の固定電極シート３２と第1の絶縁性シート３３との層間、第２の絶縁性シート３５と第２の固定電極シート３６との層間、第２の固定電極シート３６と第４の絶縁性シート３７との層間のうち、任意の層間を、図示しない接着層（両面接着テープ）で接着してもよい。特に、面スピーカ４０の周縁部においては、全ての層間を接着層（両面接着テープ）で接着してもよい。
【００４３】
このようにすることにより、積層体としての一体性が増し、層間に隙間ができたり、層間がずれたりしない。図示しない両面接着テープによる接着位置は、図３（ｃ），図３（ｄ）、図４に示す接着層３８ａ〜３８ｈ，…、４１ａ，４１ｂ，４１ｃ，…の支持位置と一致させることが、音響透過率を下げないようにする点で望ましい。
しかし、層間によって、接着位置を異ならせてもよい。また、層間によって、縦方向に並べる１次元平行配置と、これに直交する横方向に並べる１次元平行配置の選択を変えたりすることができる。
【００４４】
図５は、図１に示した柔軟性を有する静電型の面スピーカの第３の具体例を示す部分平面図である。
この具体例は、図３に示した積層断面構造を有した面スピーカ３０を1ユニットとし、複数のユニットを、間隔をあけて配置したものを、１つの面スピーカ５０Ａ又は５０Ｂとして形成したものである。
すなわち、面スピーカ５０Ａ，５０Ｂは、複数のユニットと、これら複数のユニットのうち隣接するユニット同士を連結する連接部に区分された積層シートである。
図５（ａ）においては、複数の面スピーカユニットを１次元配置し、図５（ｂ）においては、複数の面スピーカユニットを２次元配置（縦横方向）している。
【００４５】
図５（ａ）において、静電型の面スピーカユニット５１1〜５１5は、図３（ｃ）又は図３（ｄ）に示した積層断面構造を有し、面スピーカ５０Ａの振動面となる。これに対し、スピーカユニットの連接部５２の領域においては、図３（ｃ）又は図３（ｄ）に示した導電層（第１の固定電極シート３２、振動電極シート３４、第２の固定電極シート３６）がなく、絶縁層（第３の絶縁性シート３１、第1の絶縁性シート３３、第２の絶縁性シート３５、第４の絶縁性シート３７）のみを残しており、これらが連接部５２を構成する。
【００４６】
連接部５２の領域においては、さらに、第1の絶縁性シート３３、第２の絶縁性シート３５をなくしてもよい。この場合、まず、各面スピーカユニット５１1〜５１5として、それぞれ、第１の固定電極シート３２、第1の絶縁性シート３３、振動電極シート３４、第２の絶縁性シート３５、第２の固定電極シート３６、及び、接着層３８ａ〜３８ｈ、３９ａ〜３９ｈ、４１ａ〜４１ｃの積層構造を予め作成しておき、これらの面スピーカユニット５１1〜５１5の上面と下面とを、第３の絶縁性シート３１、第４の絶縁性シート３７で覆うことにより、面スピーカ５０Ａを形成することができる。この場合、第３の絶縁性シート３１、第４の絶縁性シート３７が連接部５２を構成する。
このような工程で製造すれば、箇々の面スピーカユニット５１1〜５１5の面積が小さくても、広い面積の面スピーカ５０Ａ，５０Ｂが得られる。
【００４７】
連接部５２においては、第１，第２の固定電極シート３２，３６の層及び振動電極シート３４の層が存在しないので、この連接部５２で、折り曲げたり折り畳んだりしても、電極シートが傷まない。
ここで、連接部５２に存在する絶縁性シートの層は、隣接するユニットにおける同じ層から連続して存在する。言い換えれば、これらの層は、全てのユニット及び連接部に共通の連続した層である。そのため、連接部を設けるために、別の連結部材を設けたり、この別の連結部材を隣接するユニットと縫合や接着等により結合したりする工程が不要である。
【００４８】
図５（ｂ）において、各面スピーカユニット５３1〜５３4は、図５（ａ）に示した面スピーカユニット５１1〜５１5と同様の積層構造を有し、面スピーカ５０Ｂの振動面となる。
この具体例では、面スピーカユニット５３1〜５３4は、横方向が連接部５４ａにより連接され、縦方向が連接部５４ｂにより連接されている。連接部５４ａ，５４ｂにおける積層構造は、図５（ａ）に示した連接部５２と同様である。
さらに、面スピーカユニット５３1〜５３4の周縁部５４ｃも、図示しない枠体を取り付ける領域とするために、連接部５４ａ，５４ｂと同じく、導電層のない積層構造にしている。
【００４９】
上述した図５（ａ）の面スピーカユニット５１1〜５１5、図５（ｂ）の面スピーカユニット５３1〜５３4は、各ユニットの各電極にリード線を接続し、これらのリード線をユニット毎に独立して駆動回路に接続する。又は、連接部５２、５４ａ，５４ｂにおいて、隣接するユニットの対応する電極同士を短いリード線でつなぎ、各ユニットの各電極を共通のリード線で駆動回路に接続してもよい。
【００５０】
図６は、図１に示した柔軟性を有する静電型の面スピーカの第４の具体例を示す平面図である。
図６（ａ）は、面スピーカの平面図であって、面スピーカ内の固定電極シートの配置を加えたものである。図６（ｂ）は、図６（ａ）に面スピーカ内の導電性接着剤の配置を加えた平面図である。
図６（ｃ），（ｄ），（ｅ）は、それぞれ、図６（ｂ）の矢視X-X，Y-Y，Z-Z方向を見た断面図である。図中、図３と同様な部分には同じ符号を付している。
この面スピーカ６０は、モノラル（単チャンネル）用に、左右に２つの面スピーカユニット６０A，６０Bが中央の連接部６０Cにおいて折り曲げ可能に配置されたものである。ほぼ左右対称構造であるため、左右の対称構成には同じ符号を付し、左側の面スピーカユニット６０Aについてのみ説明する。
面スピーカユニット６０A，６０Bの間の領域が連接部６０Cであり、面スピーカユニット６０A，６０Bを合わせたものの周縁部は、図示しない枠体を取り付ける領域となる。
【００５１】
図６（ｂ）、図６（ｃ）に示す６１は、帯状の第１の導電性接着層であり、第１の固定電極シート３２と第３の絶縁性シート３１との両者の層間にあって、面スピーカ６０の上縁の左半分に延設され、両者を接着する。導電性接着層は、例えば、導電性粘着剤自体や、金属箔テープの両面に導電性粘着剤を塗布したもので実現される。
図６（ａ）、図６（ｂ）に示す６２は、第１のフレキシブルプリント基板（Flexible Printed Circuit Board、以下FPCという）であり、絶縁フィルムの裏面に導体箔（図示されない）が被着されたものである。
第１のFPC６２は、第１の導電性接着層６１と同一の層間にあって、面スピーカユニット６０Aの上縁の一端部に設けられる。第１の導電性接着層６１の一端部６１ａと第１のFPC６２の一端部６２ａにおける導体箔とは、面スピーカユニット６０Aの上縁の一部において重なり合い接着される。第１のFPC６２の他端部は、幅狭の第１の接続端子６２ｂとなる。第１の接続端子６２ｂの裏面にも導体箔が被着されている。第１の接続端子６２ｂには入力線７１の一端を挿入するための孔が開いており、挿通された入力線７１の先端は、導体箔に半田付けされる。
【００５２】
図６（ｂ）に示す６３は、帯状の第２の導電性接着層であり、振動電極シート３４と第１の絶縁性シート３３との両者の層間にあって、面スピーカユニット６０Aの左縁を縦方向に延設され、向きを変えて下縁の一部に至り、両者を接着する。
６４は第２のFPCであり、絶縁フィルムの裏面に導体箔（図示せず）が被着されたものである。第２のFPC６４は、第２の導電性接着層６３と同一の層間にあって、面スピーカユニット６０Aの左縁の上部に設けられる。第２の導電性接着層６３の一端部６３ａと第２のFPC６４の一端部６４ａにおける導体箔とは、面スピーカユニット６０Aの左縁の一部において重なり合い接着される。
第２のFPC６４の他端部は、幅狭の第２の接続端子６４ｂとなる。第２の接続端子６４ｂには、入力線７２の一端を挿入するための孔が開いており、挿通された入力線７２の先端は、導体箔に半田付けされる。
【００５３】
６５は帯状の第３の導電性接着層であり、第２の絶縁性シート３５と第２の固定電極シート３６との両者の層間にあって、面スピーカユニット６０Aの下縁に延設され、両者を接着する。
６６は第３のFPCであり、第３の導電性接着層６５と同じ層間にあって、面スピーカユニット６０Aの下縁の一部から、方向を変えて左縁（第２の導電性接着層６３の左側）を縦に延設される。第３の導電性接着層６５の一端部６５ａと第３のFPC６６の一端部６６ａにおける導体箔（図示せず）は、面スピーカユニット６０Aの下縁の一部において重なり合い接着される。
第３のFPC６６の他端部は、幅狭の第３の接続端子６６ｂとなる。第３の接続端子６６ｂには、入力線７３の一端を挿入するための孔が開いており、挿通された入力線７３の先端は、導体箔に半田付けされる。
【００５４】
図６（ｂ）、図６（ｄ）に示すように、連接部６０Cは、この連接部６０Cに隣接する面スピーカユニット６０A，６０Bの第３の絶縁性シート（前面保護シート）３１、第１の絶縁性シート３３、第２の絶縁性シート３５、第４の絶縁性シート（背面保護シート）３７のそれぞれと一体である、第３の絶縁性シート３１、第１の絶縁性シート３３、第２の絶縁性シート３５、第４の絶縁性シート（背面保護シート）３７を有し、かつ、面スピーカユニット６０Aと６０Bの第１の固定電極シート３２、振動電極シート（振動膜）３４、及び、第２の固定電極シート３６を欠如したものである。
なお、連接部６０Cにおいては、第１の絶縁性シート３３、第２の絶縁性シート３５も欠如していてもよい。
従って、図５に示した連接部８２と同様に、連接部６０Cに存在する絶縁性シートの層は、左右に隣接するユニット６０A，６０Bにおける同じ層から連続して存在し、全てのユニット及び連接部に共通の連続した層である。この連接部６０Cで折り曲げたり折り畳んだりしても、電極シートが傷まない。振動電極シート（振動膜）３４も、この連接部（折り畳み部）６０Cに存在しないことになるので、折り曲げ使用時での振動を妨げないメリットもある。
【００５５】
次に、左右の面スピーカユニット６０Aと６０Bとの電気的結合構造について説明する。図６（ｂ），図６（ｄ）に示す６７は、帯状の第４の導電性接着層であり、先に説明した第１の導電性接着層６３と同様に、振動電極シート３４と第１の絶縁性シート３３との両者の層間にあって、面スピーカユニット３０Aの右縁を縦方向に延設され、両者を接着する。
右側の面スピーカユニット６０Bにおいても、上述した第４の導電性接着層６７と対称配置（面スピーカユニット６０Bの左縁を縦方向）で同じ符号を付した第４の導電性接着層６７が設けられている。
６８は第４のFPCであり、絶縁フィルムの裏面に導体箔（図示せず）が被着され、その一端部６８ａと他端部６８ｂとは縦方向に延びた短冊状であり、両者は、縦方向上部において幅狭の連結部により連結された形状である。
第４のFPC６８は、第４の導電性接着層６７と同一の層間にあって、面スピーカユニット６０Aの左縁及び面スピーカユニット６０Bの右縁の上部に設けられる。左の第４の導電性接着層６７の一端部６７ａと第４のFPC６８の一端部６８ａにおける導体箔とは、面スピーカユニット６０Aの右縁の一部において重なり合い接着される。同様に、右の第４の導電性接着層６７の一端部６７ａと第４のFPC６８の他端部６８ｂにおける導体箔とは、面スピーカユニット６０Bの左縁の一部において重なり合い接着される。
【００５６】
また、右側の面スピーカユニット６０Bにおいて、上述した第１の導電性接着層６１と対称配置（面スピーカユニット６０Bの上縁）で同じ符号を付した第１の導電性接着層６１が設けられている。
６９は第５のFPCであり、絶縁フィルムの裏面に導体箔（図示せず）が被着され、その一端部６９ａと他端部６９ｂとは横方向に延びた短冊状であり、両者は、同じ横方向の幅狭の連結部により連結された形状である。
第５のFPC６９は、第１の導電性接着層６１と同一の層間にあって、面スピーカユニット６０A及び面スピーカユニット６０Bの上縁に設けられる。左の第１の導電性接着層６１の他端部６１ｂと第５のFPC６９の一端部６９ａにおける導体箔（図示せず）とは、面スピーカユニット６０Aの上縁の一部において重なり合い接着される。同様に、右の第１の導電性接着層６１の他端部６１ｂと第５のFPC６９の他端部６９ｂにおける導体箔とは、面スピーカユニット６０Bの上縁の一部において重なり合い接着される。
【００５７】
右側の面スピーカユニット６０Bにおいて、上述した第２の導電性接着層６５と対称配置（面スピーカユニット６０Bの下縁）で同じ符号を付した第２の導電性接着層６５が設けられている。
図６（ｂ）、図６（ｅ）に示す７０は第６のFPCであり、絶縁フィルムの裏面に導体箔が被着され、上述した第５のFPC６９と上下対称の形状をしている。
第６のFPC７０は、第２の導電性接着層６５と同一の層間にあって、面スピーカユニット６０A及び面スピーカユニット６０Bの下縁に設けられる。左の第２の導電性接着層６５の他端部６５ｂと第６のFPC７０の一端部７０ａにおける導体箔７０ｃとは、面スピーカユニット６０Aの下縁の一部において重なり合い接着される。同様に、右の第２の導電性接着層６５の他端部６５ｂと第６のFPC７０の他端部７０ｂにおける導体箔とは、面スピーカユニット６０Bの下縁の一部において重なり合い接着される。
【００５８】
上述した第４〜第６のFPC６８，６９，７０により、面スピーカユニット６０Aの電極と６０Bの電極との対応する者同士が電気的に接続される。
面スピーカユニット６０A，６０Bの連接部６０Cにおいては、上述した第４〜第６のFP６３８，６９，７０の幅を狭くすることにより、連接部６０Cを折り曲げやすくしている。また、図５の連接部５２を参照して説明したように、第１の固定電極シート３２、振動電極シート３４、第２の固定電極シート３６が欠けている。
従って、面スピーカ６０は、その中央部の連接部６０Cにおいて、折り曲げ可能である。
【００５９】
上述した第１〜第４の導電性接着層６１，６３，６５，６７、及び、第１〜第６のFPC６２，６４，６６，６８，６９，７０は、面スピーカユニット６０A、６０Bの振動を妨げないように、その縁部又は縁部のさらに外側に配置されている。第１〜第３の接続端子６２ｂ，６４ｂ，６６ｂは、いずれも、それぞれの層間において、入力線７１，７２，７３に接続され、入力線７１，７２，７３は、図示の例では、共通のプラグ７４に接続される。
上述した面スピーカ６０において、第４〜第６のFPC６８，６９，７０を用いないで、面スピーカユニット６０Bを、面スピーカユニット６０Aと対称構造にし、面スピーカユニット６０Bにも入力線７１，７２，７３を設ければ、面スピーカ６０がステレオスピーカとなる。
【００６０】
図１，図２に示した面スピーカ１４として、図６に示したような、面スピーカユニット６０A，６０Bが、連接部６０Cにより間隔を空けて連設された面スピーカ６０を採用すると好適である。
この場合、面スピーカ６０の上辺を面スピーカ１４の右辺とし、面スピーカ６０の左辺を面スピーカ１４の上辺とし、各辺の長さは、図１に示した電子鍵盤楽器の寸法に応じた値になるように設計する。
さらに、連接部６０Cの位置を、案内部材２４に沿う面に形成されるように設計する。
連接部６０Cは構造上、柔軟性を増すことが容易であるため、案内部材２４による折り曲げの繰り返しに対して、十分な耐久性をもたせることができる。
【００６１】
図７は、図１に示した柔軟性を有する静電型の面スピーカの第５の具体例を示す部分断面図である。
図７（ａ）は、折り曲げ前の面スピーカ８０、図１４（ｂ）は連接部８０Ｃで折り曲げた状態の面スピーカ８０の部分断面図である。
この面スピーカ８０は、隣接する面スピーカユニット８０Ａ，８０Ｂの連接部８０Ｃを、折り曲げが容易な構造にしたものである。面スピーカ８０の積層シートは、複数の面スピーカユニット８０Ａ，８０Ｂに区分され、各面スピーカユニット８０Ａ，８０Ｂの積層シート構造は図１と同一である。
原則として、図１と同様な部分には同じ符号を付しているが、絶縁性シートについては異なる符号を付している。８１は第３の絶縁性シート、８２は第１の絶縁性シート、８３は第２の絶縁性シート、８４は第４の絶縁性シート、８５ａ，８５ｂ、８６ａ，８６ｂ、８７は接着層である。
【００６２】
積層シートは、連接部８０Ｃにおいて、第１の固定電極シート３２の層、振動電極シート３４の層、及び、第２の固定電極シート３６の層が欠如し、第３の絶縁性シート８１の層、第１の絶縁性シート８２の層、第２の絶縁性シート８３の層、第４の絶縁性シート８４の層が残存することにより、隣接する面スピーカユニット８０Ａと８０Ｂとが連結されている。
なお、第１の絶縁性シート８２の層、第２の絶縁性シート８３の層もまた欠如していてよい。
８１ａ，８２ａ，８３ａ，８４ａは、それぞれ、連接部における、第３の絶縁性シート、第１の絶縁性シート、第２の絶縁性シート、第４の絶縁性シートである。
図５に示した連接部５２と同様に、連接部８０Cに存在する絶縁性シートの層は、左右に隣接する面スピーカユニット８０A，８０Bにおける同じ層から連続して存在し、全てのユニット及び連接部に共通の連続した層である。
ここで、連接部８０Ｃにおいて、隣接する面スピーカユニット８０Ａと８０Ｂの一方から他方までの層の長さ、言い換えれば、連結距離が、第３の絶縁性シート８１ａと第４の絶縁性シート８４ａとでは異なるように形成されている。
【００６３】
図示の例では、第３の絶縁性シート８１ａの方が、連結距離が長い。その結果、第４の絶縁性シート８４ａが平坦であるときに、第３の絶縁性シート８１ａはたるんでいる。第１の絶縁性シート８２ａ、第２の絶縁性シート８３ａの長さ（連結距離）については、第３の絶縁性シート８１ａ、第１の絶縁性シート８２ａ、の絶縁性シート８３ａ、第４の絶縁性シート８４ａの順に連結距離を短くするとよい。
その結果、第１の絶縁性シート８２ａ、第２の絶縁性シート８３ａも、ゆるやかにたるんでいる。
【００６４】
図７（ａ）に示した面スピーカ８０を連接部８０Ｃにおいて折り曲げると、図７（ｂ）に示すように、積層シートの層中間を基準に、層中間よりも外側の層は連結距離が伸び、それよりも内側の層は連結距離が縮まる。
そこで、先に説明したように、連接部８０Ｃにおいて、第３の絶縁性シート８１ａを最も連結距離の長いものにしておき、第４の絶縁性シート８４ａほど、連結距離の短いものにしておけば、連接部８０Ｃにおいて、第３，第１，第２，第４の絶縁性シート８１ａ〜８４ａに無理な応力が発生しない。
【００６５】
接着層８５ａ，８５ｂは、帯状の両面接着テープであって、面スピーカユニット８０Ａと連接部８０Ｃとの境界領域、面スピーカユニット８０Ｂと連接部８０Ｃとの境界領域における、第３の絶縁性シート８１と第１の絶縁性シート８２の両者の層間にあって、連接部８０Ｃの長手方向に、両者を接着する。この接着層８５ａ，８５ｂは、第１の固定電極シート３２の層と同じ厚みのスペーサとなることが好ましい。
接着層８６ａ，８６ｂも同様に、帯状の両面接着テープであって、境界領域において、第１の絶縁性シート８２と第２の絶縁性シート８３の両者を、連接部８０Ｃの長手方向に接着する。接着層８６ａ，８６ｂは、接着層３８，３９と振動電極シート３４の層を合わせた厚みのスペーサとなることが好ましい。
接着層８７も同様に、帯状の両面接着テープであって、連接部８０Ｃの中央において、第２の絶縁性シート８３ａと第４の絶縁性シート８４ａの両者を、連接部８０Ｃの長手方向に接着する。この接着層８７は、第２の固定電極シート３６の層と同じ厚みのスペーサとなることが好ましい。
【００６６】
連接部８０Ｃは上述した構成にしなくてもよい。第３の絶縁性シート８１から第４の絶縁性シート８４まで、一様な分布構成（一様な連結距離）であっても、面スピーカ８０を折り曲げて音を発生させるのに不都合はない。なぜなら、面スピーカ８０の厚みが1［mm］程度であるから、曲げたときの最内層と最外層との伸縮差はごく僅かであるからである。しかしながら、１万回以上の折り曲げに耐える商品にするためには、上述した連接部８０Ｃの構成にすることが望ましい。
【００６７】
なお、積層体の耐久性向上に最も寄与する要因は、折り曲げられる最外層のシート（第３の絶縁性シート８１）が、そのすぐ内側のシート（第１の絶縁性シート８２）に対してずれが少なくなるようにすることである。例えば、最外層のシートが１万回折り曲げの初期に、そのすぐ内側のシートに対し一方的にずれることがあれば、その積層体の耐久性は落ちると思われる。これに対し、さらに内側のシート（第２の絶縁性シート８３、第４の絶縁性シート８４）は、最外層のシートとそのすぐ内側のシートにて保護される。
従って、最外層のシートさえ保護しておけば、面スピーカの耐久性が上がると考えられる。
【００６８】
図８は、図１に示した電子鍵盤楽器の機能ブロック図である。
図1に示した鍵盤蓋５に隠れた鍵盤部９０における各白鍵，黒鍵の操作、ペダル１２の操作は、検出部９１により検出され、検出信号が制御部９２に出力される。制御部９２は、演奏データを音源部９３に出力する。この演奏データには、押鍵及び離鍵のタイミング、押鍵又は離鍵された鍵に対応するノートナンバ（音高）、ベロシティ（押鍵速度）、アフタタッチ量等のデータが含まれている。また、操作されたペダル１２の種別、操作量のデータも出力される。上述した制御部９２は、機器組み込みプログラムをCPUに実行させることにより実現される。
【００６９】
図１に示した電子鍵盤楽器には、鍵盤蓋５の下に、鍵盤部９０とともに、操作パネルが設置され、ここに複数の操作子（ボタン、ノブ）９４が配置されている。操作子９４としては、例えば、楽器音色等の設定操作用スイッチや、自動演奏のための選曲、再生開始や再生停止等を制御するスイッチがある。
操作子９４の操作は、検出部９１により検出され、制御部９２に出力され、制御部９２では、各操作子９４に割り付けられた機能を、電子鍵盤楽器に設定する。音源部９３に対する設定の場合は、音源部９３に音源設定データを出力する。
【００７０】
上述した電子鍵盤楽器は、自動演奏部９５と曲データ記憶部９６が内蔵されている。自動演奏部９５は、操作子９４の操作により、曲データ記憶部９６に記憶された曲を読出し、MIDI（Musical Instrument Digital Interface）形式の演奏データを制御部９２に出力する。上述した自動演奏部９５も、機器組み込みプログラムをCPUに実行させることにより実現される。
MIDIインタフェース９７は、パーソナルコンピュータや他の電子楽器から供給されるMIDI形式の演奏データを、背面板２２（図２）に設けられた端子から入力し、制御部９２に出力する。
【００７１】
音源部９３は、制御部９２から入力された演奏データに応じて、音色等の音源設定や、押鍵操作に応じた音高と強さのステレオ（L，Rの2チャンネル）の楽音信号を生成し、増幅器９８L，９８R，１００L，１００R、及び、混合部（ミキサー）１０２に出力する。図示の音源部９３は、１つの楽音の発生用に、ステレオ用の左ソース、右ソースを使用する。これらの音源ソースは、図示しない音源波形メモリに記憶されている。
また、音源部９３は、モノラルソースを使用するとし、操作された鍵の帯域等に応じて、左右の音量比を制御（音像定位制御）するものでもよい。
【００７２】
増幅器９８L，９８Rの出力は、それぞれ、ヘッドフォン用の外部出力端子９９L，９９Rに出力される。増幅器１００Lの出力は図１に示したコーンスピーカ１８に出力され、増幅器１００Rの出力はコーンスピーカ１９に出力される。
混合部１０１は、音源部９３のステレオ出力を混合し、増幅器１０２に出力する。増幅器１０２の出力は、昇圧トランス１０３の１次コイルに出力される。昇圧トランス１０３の２次コイルには、図1に示した面スピーカ１４の一例としての柔軟性を有する静電型スピーカが接続される。昇圧トランス１０３の２次コイルは、中点タップCTを有し、中点タップCTには、高圧のバイアス直流電源１０４と高抵抗の抵抗器１０５との直列回路が接続されている。上述した２次コイルの両端が端子１０６，１０７、抵抗器１０５の他端が端子１０８となる。
【００７３】
端子１０６は、図３（ｃ），図３（ｄ）に示した第１の固定電極シート３２に接続され、端子１０７は、第２の固定電極シート３６に接続され、端子１０８は、振動電極シート３４に接続される。
ここで、静電型面スピーカの動作原理を、振動電極シート３４を電位の基準にとって説明する。バイアス直流電源１０４により、第１の固定電極シート３２及び第２の固定電極シート３６は、E0＝数百［V］の負に帯電し、振動電極シート３４と第１の固定電極シート３２との間、及び、振動電極シート３４と第２の固定電極シート３６との間に、互いに逆方向の静電吸引力が発生する。
【００７４】
この状態で、第１の固定電極シート３２及び第１の固定電極シート３６に、逆位相の楽音信号±e［V］（eはE0より十分に小さい値）が印加されると、第１の固定電極シート３２及び第２の固定電極シート３６は、それぞれ、（E0＋e）［V］、（E0−e）［V］で負に帯電する。その結果、振動電極シート３４と第１の固定電極シート３２との電極間、及び、振動電極シート３４と第２の固定電極シート３６との間の静電吸引力のバランスがくずれ、結果として、楽音信号e［V］に比例した静電吸引力が発生し、振動電極シート３４は、楽音信号e［V］の正負に応じてプッシュプル駆動される。
【００７５】
上述した説明では、増幅器１００L，１００Rの出力を直接にコーンスピーカ１８，１９へ出力していた。コーンスピーカ１８，１９は、面スピーカ１４の低い周波数側の音圧低下を補うために用いる。そのため、通常は、ウーファスピーカと呼ばれるものを使用する。そこで、コーンスピーカ１８，１９の周波数特性に応じた楽音信号を供給するために、低域通過型フィルタ回路を、増幅器１００L，１００Rの入力側又は出力側に挿入することが望ましい。
同様に、増幅器１０２の入力側又は出力側に、静電型スピーカの周波数特性に応じた楽音信号を昇圧トランス１０３に供給するための高域、又は、中高域通過型フィルタ回路を挿入してもよい。
上述したフィルタ回路の特性は、コーンスピーカ１８，１９から出力される音と面スピーカ１４から出力される音とが、周波数特性上においてバランスするように設計する。
【００７６】
さらにまた、高域再生用のツィータスピーカ（例えば、ドーム型ダイナミックスピーカ）を設け、増幅器１００L，１００Rはツィータスピーカにも楽音信号を分配してもよい。面スピーカ（静電型スピーカ）１４とツィータスピーカとを選択的に切替えていずれか一方を使用するためのスイッチを設けてもよい。
図示を省略したが、音源部９３に、図１に示した面スピーカ１４に専用のソースが用意されていてもよい。この場合、この専用のソースに基づく楽音信号を、増幅器１０２で増幅し、昇圧トランス１０３に供給する。
上述した分割された面スピーカ１４を、左右のチャンネルに分けた場合、音源部９３からステレオ信号の供給を受けて、混合部１０１にて混合することなく、増幅し、左右のチャンネルの昇圧トランスに出力する。
【００７７】
図９は、本願発明の実施形態を用いる他の一例である外付け面スピーカパネルを示す説明図である。
電子鍵盤楽器に対し独立して設置される外付け面スピーカパネル１１１を示す説明図である。
図９（ａ）は斜視図、図９（ｂ）は枠体の上縁部１１３ａにおける水平断面図、図９（ｃ）は、枠体１１３の中間高さ位置における水平断面図である。
この面スピーカパネル１１１は、図１に示したような電子楽器の筐体とは独立して、筐体の外に、楽音信号に応じた音を出力するものである。
【００７８】
図示の面スピーカ１１２は、左側の面スピーカユニット１１２Ａと右側の面スピーカユニット１１２Ｂとが連接部１１２Ｃにより連接されている。１１３は枠体であって、面スピーカユニット１１２Ａを支持する左側の枠体と面スピーカユニット１１２Ｂを支持する右側の枠体に分離されている。両者は左右対称の形状であるので、左側の枠体１１３についてのみ、符号を付して説明する。１１４はネジ部材である。
上述した面スピーカ１１２として、図６に示した面スピーカ６０が使用できる。その際、連接部６０Ｃの構造として、図６に示した連接部６０Ｃの構造そのもの、さらには、図７に示した連接部８０Ｃの構造を採用することができる。
【００７９】
図９（ｂ）に示す枠体１１３の上縁部１１３ａにおいて、枠体１１３の一定の深さにおいて、細溝１１５が形成されている。図９（ｃ）に示す枠体１１３の左縁部１１３ｂ、右縁部１１３ｄ、下縁部１１３ｃにおいても同じ細溝１１５が形成されている。右縁部１１３ｄの細溝１１５から、左側の面スピーカユニット１１２Ａを挿入し、４箇所の取付孔１１６から、ネジ部材１１４を差し込み、面スピーカユニット１１２Ａの縁部を貫通して、ネジ孔１１７に締め付ける。
左右の枠体１１３を図示のように、折り曲げることにより、自立構造の面スピーカパネル１１１となる。折り曲げの角度、面スピーカユニット１１２Ａ，１１２Ｂを向ける方向を変えることにより、面スピーカパネル１１１から放音される音の指向性を変えることができる。
図示の例では、面スピーカユニット１１２A，１１２Bを２個とし、かつ、支持する枠体１１３を２個使用したが、連接する面スピーカユニット１１２A，１１２B，…の個数を増やし、枠体１１３の個数もそれに応じて増やしてゆけば、屏風型の面スピーカパネル１１１となる。
【符号の説明】
【００８０】
１…脇側面板、２…側面板、３…前脚、４…ステー、５…鍵盤蓋、６…口棒、７…上前板、８…譜面受、９…天板、１０…譜面板、１１…ペダルユニット、１２…ペダル、１３…面スピーカパネル、１４…面スピーカ、１５…枠体、１６…結合部材、１７…被結合部材、１８…回動支持軸、１９，２０…コーンスピーカ、２１…棚板、２２…背面板、２３…軸受穴、２４…案内部材、２５…床面、２６…第１の被結合部材、２７…支持体、２８…第２の被結合部材、２９…演奏者の耳、
３０…面スピーカ、３０A…面スピーカユニット、３１…第３の絶縁性シート、３２…第１の固定電極シート、３２ａ…貫通孔、３３…第１の絶縁性シート、３４…振動電極シート、３５…第２の絶縁性シート、３６…第２の固定電極シート、３６ａ…貫通孔、３７…第４の絶縁性シート、３８ａ〜３８ｈ，３９ａ〜３９ｈ…接着層
４０…面スピーカ、４１ａ，４１ｂ，４１ｃ…接着層、
５０Ａ，５０Ｂ…面スピーカ、５１1〜５１5、５２…連接部、５３1〜５３4…面スピーカユニット、５４ａ，５４ｂ…連接部、５４ｃ…周縁部、
６０…面スピーカ、６０A，６０B…面スピーカユニット、６０C  連接部、６１，６３，６５，６７…第１〜第４の導電性接着層、６２，６４，６６，６８，６９，７０…第１〜第６のFPC（フレキシブルプリント基板）、７１，７２，７３…入力線、７４…プラグ
８０…面スピーカ、８０Ａ，８０Ｂ…面スピーカユニット、８０Ｃ…連接部、８１〜８４…第３，第１，第２，第４の絶縁性シート、８１ａ〜８４ａ…連接部における第３，第１，第２，第４の絶縁性シート、８５ａ，８５ｂ，８６ａ，８６ｂ，８７…接着層、
９０…鍵盤部、９１…検出部、９２…制御部、９３…音源部、９４…操作子、９５…自動演奏部、９６…曲データ記憶部、９７…インタフェース、９８L，９８R、１００L，１００R…増幅器、９９L，９９R…外部出力端子、１０１…混合部、１０２…増幅器、１０３…昇圧トランス、１０４…バイアス直流電源、１０５…抵抗器、１０６，１０７，１０８…端子、
１１１…面スピーカパネル、１１２…面スピーカ、１１２A，１１２B…面スピーカユニット、１１２Ｃ…連接部、１１３…枠体、１１３ａ…上縁部、１１３ｂ…左縁部、１１３ｃ…下縁部、１１３ｄ…右縁部、１１４…ネジ部材、１１５…細溝、１１６…取付孔、１１７…ネジ孔
【図１】
0005545117.tif 000002
【図２】
0005545117.tif 000003
【図３】
0005545117.tif 000004
【図４】
0005545117.tif 000005
【図５】
0005545117.tif 000006
【図６】
0005545117.tif 000007
【図７】
0005545117.tif 000008
【図８】
0005545117.tif 000009
【図９】
0005545117.tif 000010